(57)【要約】【課題】  官製はがきなどは、上下方向や裏表を有するため、誤印字すると損害が大きくなる。【解決手段】  本発明の記録装置は、印字メディアの上下方向および表裏を判別し、印字データを操作することで誤印字をなくすようにする。【選択図】  図２
2006212810.tif 000002
【特許請求の範囲】
【請求項１】
印字メディアの両面を読み取る手段と、印字メディアの上下方向を判別する特徴的なパターンを、前記両面を読み取る手段によって検出し搬送されてきたメディアの上下方向を判別する手段とを具備することを特徴とする記録装置。
【請求項２】
前記印字メディアの両面を読み取り特徴的なパターンを検出する両面の検出位置を、印字開始位置より手前とすることを特徴とする請求項１記載の記録装置。
【請求項３】
前記両面の検出位置を、互いに前後ないし左右にずらすことを特徴とする請求項１記載の記録装置。
【請求項４】
前記印字メディアの上下方向を判別し、必要に応じて画像データを上下逆転させることを特徴とする請求項１記載の記録装置。
【請求項５】
前記両面の読み取り手段の、いずれかの面から特徴的なパターンが検出されたかによって印字メディアの表裏の判別を行うことを特徴とする請求項１記載の記録装置。
【請求項６】
前記両面の読み取り手段の、いずれかの面から特徴的なパターンが検出されたかによって印字メディアの表裏の判別を行い、印字対象ではない面を印字面として搬送されてきた印字メディアを排出することを特徴とする請求項５記載の記録装置。
【請求項７】
前記印字メディアを読み取り、上下の特徴的なパターンを抽出・登録し、前記印字メディアの上下ないし表裏を判別する特徴的パターンとして使用する手段を具備することを特徴とする請求項１記載の記録装置。
【請求項８】
前記印字メディアの両面を読み取る手段として、ＣＣＤ等の光電素子を具備することを特徴とする請求項１記載の記録装置。
【請求項９】
印字メディアの両面を読み取るステップと、印字メディアの上下方向を判別する特徴的なパターンを、前記両面を読み取る手段によって検出し搬送されてきたメディアの上下方向を判別するステップとを具備することを特徴とする記録装置を制御するための制御方法。
【発明の詳細な説明】
【技術分野】
【０００１】
本発明は、記録装置に関するものである。
【背景技術】
【０００２】
インクジェット技術を利用した記録装置は、記録ヘッド内に具備された画素に対応する記録エネルギー発生素子を備え、この記録エネルギー発生素子に記録情報に対応した駆動信号を印加し、記録剤にエネルギーを付与することによって、記録を行うように構成されている。
【特許文献１】特開平８−２２１３９５号公報
【発明の開示】
【発明が解決しようとする課題】
【０００３】
上記のような記録装置は、安価で高精度な印字物を利用者に提供することが出来るため、急速に普及した。その用途として、日本国内では年賀状を初めとする各種のはがき印刷が高い比率を占め、インクジェット専用はがき等も販売されている。しかしながら、その印字メディアであるはがきは通常の紙に比べ高価であり、また、上下方向や表裏を持つため、通常以上に誤印字を発生しやすく損害も大きくなる。
【課題を解決するための手段】
【０００４】
記録装置に、はがき等の印字メディアの両面を読み取る画像読み取り手段を具備し、メディアの上下方向および表裏を判別し、誤印字をなくすようにする。
【発明の効果】
【０００５】
本発明によれば印字メディアの上下方向および表裏を判別し、印字データを操作することで誤印字をなくすことができる。
【発明を実施するための最良の形態】
【０００６】
（実施例１）
図１Ａ／Ｂ／Ｃは本発明の特徴をもっともよく表す図である。同図において１００は記録ヘッドである。３００ははがき等の印字メディアであり、３０１Ａは記録ヘッド１００と同一方向に、３０１Ｂは記録ヘッド１００と対面する方向に設置された画像読み取り手段である。３０２は画像読み取り手段３０１Ａ／Ｂに設置された光源であり、３０３はＣＣＤ等の光電素子である。画像読み取り手段３０１Ａ／Ｂは光源３０２から照射された光が、メディアで反射し、光電素子３０３によって電荷として抽出される。図１Ｃの３０４Ａは画像読み取り手段３０１Ａに、３０４Ｂは画像読み取り手段３０１Ｂにそれぞれ対応した採光用のスリットで、対面する光源３０２の干渉を避けるため前後あるいは左右にずれた位置に設置される。
【０００７】
はがき等の印字メディア３００は宛名面の印章等が存在する位置が決まっているので、給紙トレイから分離・搬送後、端面からある程度の位置にメディア３００の特徴的なパターンが画像読み取り手段３０１Ａ／Ｂによって検出される。この時、読み取り位置は印字開始位置より手前とする。
【０００８】
まず、はがきの白紙面に印字を行う場合、宛名面は画像読み取り手段３０１Ｂによって読み取られる事になる。この画像読み取り手段３０１Ｂによって読み取られた特徴的なパターンによって印字メディア３００の上下の位置関係を自動的に判別することができる。この自動判別結果から、図２に示すように記録ヘッド１００に転送される印字データを必要に応じて上下逆転させる、あるいは予め逆転させたデータを転送することで、印字メディア３００表裏の印字結果の整合性をとることができる。また、分離後に読み取りを行うので、連続給紙時にメディアの方向が混在していても実現可能である。この時、画像読み取り手段３０１Ａ／Ｂの読み取り範囲は特徴的パターンが存在する範囲から印字メディア３００の全幅が読み取れる程度でよく、光電素子３０３はリニアセンサー／エリアセンサーのいずれであっても構わない。また、特徴的パターンの検出を目的とするので解像度は低いもので構わない。
【０００９】
（実施例２）
実施例１と同様に、はがきの宛名面に印字を行う場合、図３Ａ／Ｂに示すように宛名面は画像読み取り手段３０１Ａによって読み取られる事になる。この画像読み取り手段３０１Ａによって読み取られた特徴的なパターンによって印字メディア３００の上下の位置関係を自動的に判別することができ、必要に応じて印字データの逆転を行うことで印字結果の整合性をとることができる。
【００１０】
（実施例３）
実施例１および２で示す通り、白紙面の印字あるいは宛名面の印字を行う場合はそれぞれのモードで画像読み取り手段３０１Ａ／Ｂのどちらか一方に特徴的なパターンが検出される。もし、特徴的なパターンが検出予定面の画像読み取り手段３０１で検出されず、反対面側の画像読み取り手段３０１によって検出された場合、印字メディア３００は表裏が混在していると判断できる。この場合、混在した印字メディア３００のみを印字を行わずに排出する事で誤印字を防止する。
【００１１】
（実施例４）
また、印字メディア３００が年賀状のように年毎にデザインに変更がある場合、図４に示すように事前に画像読み取り手段３０１Ａ／Ｂによって読み取り、上下あるいは各面の特徴的なパターンを抽出し登録する。この登録された特徴的パターンを利用して上下ないし表裏の判別を行うことで同様の効果が得られる。この特徴的なパターンの抽出は片面のみでも両面でも構わない。この時、特徴的パターンは両端面から等距離の位置で抽出され、各画像読み取り手段３０１Ａ／Ｂで共有されるものとする。
【００１２】
以上実施例１乃至４で説明したように、本発明によれば印字メディアの上下方向および表裏を判別し、印字データを操作することで誤印字をなくすことができる。
【図面の簡単な説明】
【００１３】
【図１】本発明の第一の実施例を説明する図である。
【図２】本発明の第一の実施例を説明する図である。
【図３】本発明の第二の実施例を説明する図である。
【図４】本発明の第四の実施例を説明する図である。
【図１】
2006212810.tif 000003
【図２】
2006212810.tif 000004
【図３】
2006212810.tif 000005
【図４】
2006212810.tif 000006